(57)【要約】【課題】少ない操作力で洗浄槽を食器洗い機本体に収納できる使い勝手の良い食器洗い機を提供する。【解決手段】前方が開口した食器洗い機本体１（以下、「本体１」）内に前後方向に移動自在に収納され上方に開口部３ａを有する洗浄槽３と、洗浄槽３の前部上部に設けられ洗浄槽３の移動をロックすると共に、ロック時に本体１の一部に係止するアクチェータ１０ａを有するロック手段１０と、洗浄槽３の移動に連動し開口部３ａを覆う内蓋１４を備え、内蓋１４は、洗浄槽３が前方へ移動した時、上方前方へ移動し、洗浄槽３のロック時にアクチェータ１０ａが本体１に係止する空間に、内蓋１４の前端１４ｂが位置するもので、内蓋１４を本体１内に収めた状態で、前後の移動距離を制限する部材を廃止しつつ洗浄槽３を拘束することで、洗浄槽３を本体１へ収納する操作力を低減させることができる。【選択図】図１
2009028291.tif 000002
【特許請求の範囲】
【請求項１】
前方が開口し略箱状の食器洗い機本体と、前記食器洗い機本体内に前後方向に移動自在に収納されかつ上方に開口部を有する洗浄槽と、前記洗浄槽の前部上部に設けられ前記洗浄槽の移動をロックするロック手段と、前記洗浄槽の移動に連動して移動すると共に前記開口部を覆う内蓋とを備え、前記ロック手段は、前記洗浄槽のロック時に前記食器洗い機本体の一部に係止するアクチェータを有し、前記内蓋は、前記洗浄槽が前方へ移動したとき、上方前方へ移動すると共に、前記洗浄槽のロック時に前記アクチェータが前記食器洗い機本体に係止する空間に、前記内蓋の前端が位置することを特徴とする食器洗い機。
【発明の詳細な説明】
【技術分野】
【０００１】
本発明は、洗浄ノズルより食器類に向けて洗浄水を噴射して食器類を洗浄するビルトインタイプの食器洗い機に関するものである。
【背景技術】
【０００２】
従来のこの種の食器洗い機について、図４、５を用いて説明する。図４は、従来の食器洗い機の縦断面図（洗浄槽を収納した状態）、図５は、同食器洗い機の縦断面図（洗浄槽を引き出した状態）である。
【０００３】
図４、図５において、システムキッチンに収容された従来の食器洗い機の食器洗い機本体１内には洗浄槽３が収納自在に設けられ、洗浄槽３は、上方に開口部３ａを有し、内部に食器類４を収容する食器かご５を配置している。食器かご５の下方には洗浄ノズル６を回転自在に設けており、洗浄槽３内に溜めた洗浄水をポンプ３０によって循環させ、洗浄ノズル６より噴射して食器類４を洗浄する。
【０００４】
また、洗浄槽３にはレール１６を固定し、前後方向へ平行移動可能に支持されている。食器類４の出し入れを行う際には、前面パネル２０に一体的に形成された把手部２３をつかみ、洗浄槽３を前方に引き出し、開口部３ａより食器類４の収容をする。
【０００５】
次に、洗浄槽３を食器洗い機本体１内に戻し、収納するとともに食器洗い機本体１内の上部空間に待機していた内蓋１４が、食器洗い機本体１の側面に配したリンク機構３１等により後方へ移動しつつ降下して、洗浄槽３の開口部３ａを閉塞するよう構成し、前面パネル２０に配設されたロック手段２２を操作するロックレバー（図示せず）を使用者が操作することにより、洗浄槽３がロックされるようになっている。
【０００６】
ロック手段２２は、水平方向に回動するロックレバーにより、アクチェータ（図示せず）を水平方向に回動させて、食器洗い機本体１の上部に設けた係止部材（図示せず）とで係止させるハンドルレバー式が一般的である。
【０００７】
運転を開始すると、洗浄槽３の底部に配置されたヒータ３２によって洗浄水を加熱しながら、洗浄ノズル６から食器類４に向かって噴射し、食器類４の汚れを落とす洗浄行程を行う。その後、食器類４をすすいだ後、乾燥行程を行って運転を終了するようになっている（例えば、特許文献１参照）。
【特許文献１】特開２０００−１３９７９９号公報
【発明の開示】
【発明が解決しようとする課題】
【０００８】
しかしながら、このような従来の食器洗い機の構成では、前面パネル２０に配設されたロック手段２２のハンドルレバー式では、水平回動するロックレバーが、前面パネル２０の前方に突出し過ぎると、システムキッチンのデザイン性を損ね、キッチンの動線を邪魔するため、ロックレバーが回動する支点を、洗浄槽３側に寄せる必要がある。必然的に食器洗い機本体１に設けた係止部材を、食器洗い機本体１の前縁より後方に配置する必要がある。
【０００９】
また、内蓋１４が食器洗い機本体１より突出してしまうと、洗浄槽３の開口部３ａをシールするためのシール材（図示せず）に使用者の手が届きやすくなり、食器類４の出し入れの際にシール材を破損したり、脱落させたりして、水漏れの原因となる恐れがあった。また、洗浄槽３を引き出したときの内蓋１４の待機位置が、食器洗い機本体１の前縁より低い位置にあるため、洗浄槽３は、この内蓋１４を避けた高さ位置にする必要があり、そのため洗浄槽３の、食器類４を収納できる容量が少なくなる。よって、洗浄槽３を引き出した際に、内蓋１４が待機している位置は、食器洗い機本体１の中に位置し、係止部材を避けて、さらに後方に配置されることになる。
【００１０】
一方、洗浄槽３の引き出し動作に要する操作力は、内蓋１４のリンク機構３１に連動している。内蓋１４は、洗浄槽３が収納された状態で、洗浄槽３の開口部３ａのシールを確実に行いつつ、洗浄槽３が引き出される時には、洗浄槽３の引き出し操作を邪魔しないよう、上方へ逃がす必要がある。リンク機構３１は、前後方向の力を、上下方向の力に変換しているため、内蓋の前後方向の移動距離が長いほど操作力を軽減させることができる。しかし、従来の構成では、食器洗い機本体１内に待機する必要がある内蓋１４の前後の移動距離は限られており、できるだけ前方に配置する必要があるが、係止部材によって移動距離が制限され操作力の軽減ができないという課題を有していた。
【００１１】
本発明は、上記従来の課題を解決するもので、内蓋を食器洗い機本体内に収めた状態で、前後の移動距離を制限する部材を廃止しつつ洗浄槽をロックすることで、洗浄槽の食器洗い機本体へ収納する操作力を低減し、使用勝手の良い食器洗い機を提供することを目的としている。
【課題を解決するための手段】
【００１２】
上記従来の課題を解決するため、本発明の食器洗い機は、前方が開口し略箱状の食器洗い機本体と、前記食器洗い機本体内に前後方向に移動自在に収納されかつ上方に開口部を有する洗浄槽と、前記洗浄槽の前部上部に設けられ前記洗浄槽の移動をロックするロック手段と、前記洗浄槽の移動に連動して移動すると共に前記開口部を覆う内蓋とを備え、前記ロック手段は、前記洗浄槽のロック時に前記食器洗い機本体の一部に係止するアクチェータを有し、前記内蓋は、前記洗浄槽が前方へ移動したとき、上方前方へ移動すると共に、前記洗浄槽のロック時に前記アクチェータが前記食器洗い機本体に係止する空間に、前記内蓋の前端が位置するもので、内蓋を食器洗い機本体内に収めた状態で、前後の移動距離を制限する部材を廃止しつつ洗浄槽を拘束することで、洗浄槽を食器洗い機本体へ収納する操作力を低減させた、使用勝手の良い食器洗い機を提供することができる。
【発明の効果】
【００１３】
本発明の食器洗い機は、内蓋を食器洗い機本体内に収めた状態で、前後の移動距離を制限する部材を廃止しつつ洗浄槽をロックすることで、洗浄槽を食器洗い機本体に収納するときの操作力を低減させ、使用勝手の良い食器洗い機を提供することができる。
【発明を実施するための最良の形態】
【００１４】
第１の発明は、前方が開口し略箱状の食器洗い機本体と、前記食器洗い機本体内に前後方向に移動自在に収納されかつ上方に開口部を有する洗浄槽と、前記洗浄槽の前部上部に設けられ前記洗浄槽の移動をロックするロック手段と、前記洗浄槽の移動に連動して移動すると共に前記開口部を覆う内蓋とを備え、前記ロック手段は、前記洗浄槽のロック時に前記食器洗い機本体の一部に係止するアクチェータを有し、前記内蓋は、前記洗浄槽が前方へ移動したとき、上方前方へ移動すると共に、前記洗浄槽のロック時に前記アクチェータが前記食器洗い機本体に係止する空間に、前記内蓋の前端が位置するもので、内蓋を食器洗い機本体内に収めた状態で、前後の移動距離を制限する部材を廃止しつつ洗浄槽を拘束することで、洗浄槽を食器洗い機本体へ収納する操作力を低減させた、使用勝手の良い食器洗い機を提供することができる。
【００１５】
以下、本発明の実施の形態について、図１〜３を参照しながら説明する。なお、この実施の形態によって本発明が限定されるものではない。
【００１６】
（実施の形態１）
図１は、本発明の第１の実施の形態における食器洗い機の断面図（洗浄槽を収納した状態）、図２は、同食器洗い機の縦断面図（洗浄槽を引き出した状態）、図３は、同食器洗い機の要部拡大図（洗浄槽を引き出した状態）である。
【００１７】
図１〜３において、本実施の形態における食器洗い機は、前方が開口すると共に箱形状に形成された金属製の食器洗い機本体１と、前記食器洗い機本体１の両側面内側に略水平方向に架設されたレール２に沿って、前後方向に引き出し自在で、上方に開口部３ａを有する洗浄槽３とを備え、前記洗浄槽３の内部には、食器類４をセットする食器かご５と、食器類４を洗浄する水を噴射する洗浄ノズル６とを備えている。
【００１８】
洗浄槽３の前面には、システムキッチンと同様な意匠が施されたパネル７が装備され、前記パネル７には、洗浄槽３全体を出し入れする際に使用者が掴む把手部８と、食器洗い機の操作を行う操作スイッチ９と、洗浄槽３を食器洗い機本体１の所定の収納位置に拘束するためのロック手段１０が具備されている。
【００１９】
また、洗浄槽３の後方両側面には、食器洗い機本体１の所定位置に洗浄槽３を誘導・保持する後述の付勢手段１１に係合するロッド１２が突出する形で具備されている。
【００２０】
ロック手段１０は、洗浄槽３が、食器洗い機本体１内の所定の収納位置にあるとき、食器洗い機本体１の前面外縁部１ａの上部に、下方より移動し、前後方向に係止するアクチェータ１０ａと、アクチェータ１０ａを常時、上方へ付勢するロックバネ１０ｂと、前記アクチェータ１０ａを上下方向に移動させるロックレバー１０ｃにより構成されている。
【００２１】
また、食器洗い機本体１の前面外縁部１ａには、金属製の端面を目隠しするホゴカバー１ｂを配設するとともに、そのホゴカバー１ｂの前面には、アクチェータ１０ａが、食器洗い機本体１内に収納される際に、食器洗い機本体１の前面外縁部１ａの係止位置に円滑に案内されるようにするためのガイド部１ｃを一体的に形成している。
【００２２】
また、食器洗い機本体１の後方側面部には、洗浄槽３を所定の収納位置に誘導・保持する付勢手段１１が締結固定しつつ、左右各々一対に配置され、付勢手段１１は、動力源となる反転バネ１１ａ、前記洗浄槽３のロッド１２と係合して回動反転するアーム部１１ｂを設置してなるケース部１１ｃより構成され、反転バネ１１ａの力で、洗浄槽３を所定の位置に付勢している。
【００２３】
また、前記付勢手段１１のケース部１１ｃには、位置検知スイッチ１３が配設されており、前記アーム部１１ｂの先端部１１ｅで殴打されて位置検知スイッチ１３のボタン（図示せず）を押し込む回動自在なるスイッチカム１１ｄ等により、洗浄槽３が、所定の位置にあるかどうかの検知を同時に行うように構成している。
【００２４】
また、食器洗い機本体１の上方には、洗浄槽３の上方の開口部３ａを閉塞するための内蓋１４を配置し、前後一対のリンクを含む左右一対の平行リンク機構１５により、上下動自在に支持されるとともに、洗浄槽３の開口部３ａをシールするシール部材１４ａが固定され、洗浄槽３を引き出したとき、シール部材１４ａを、洗浄槽３の前後の移動に干渉しないよう上方に逃がすとともに、内蓋１４の前端１４ｂが、食器洗い機本体１の前面外縁部１ａまで、前方に移動するよう構成している。
【００２５】
その他は、従来例と同様の構成をしている。
【００２６】
次に、以上のように構成された本実施の形態における食器洗い機の動作について説明する。
【００２７】
使用者が、食器類４をセットした食器かご５を、洗浄槽３に収納して、洗剤を入れて操作スイッチ９を押し、洗浄槽３を閉める。前記洗浄槽３は、レール２に沿って食器洗い機本体１内の奥まで収納される。このとき、図１に示すように、前端１４ｂが洗浄槽３により押され、平行リンク機構１５により内蓋１４は後方に、かつ下方に移動し、洗浄槽３の上方の開口部３ａを閉塞する。
【００２８】
同時に、洗浄槽３の後方両側面にあり食器洗い機本体１の内側面に向って突出したロッド１２が、付勢手段１１のアーム部１１ｂの溝１１ｆに係合してアーム部１１ｂが回動し、アーム部１１ｂにより洗浄槽３を、食器洗い機本体１の内奥部の所定位置に保持しつつ、位置検知スイッチ１３が入力される。
【００２９】
このとき、引き出し操作力は、付勢手段１１によって収納位置へ付勢され、平行リンク機構１５によって、内蓋１４を降下させて洗浄槽３の開口部３ａを確実にシールするための力が負荷されるため、収納位置へ移動させる力が必要となる。
【００３０】
このとき、図２および図３に示すように、洗浄槽３が引き出された状態で、食器洗い機本体１の前面外縁部１ａに直接係止していたアクチェータ１０ａは、パネル７とともに前方に移動しているため、前端１４ｂは、食器洗い機本体１の前面外縁部１ａまで移動させることができる。
【００３１】
また、ロック手段１０のアクチェータ１０ａが食器洗い機本体１の前面外縁部１ａに係止し、洗浄槽３が所定の位置に収納された状態では、内蓋１４が洗浄槽３の開口部３ａを閉塞しているため、アクチェータ１０ａをじゃまする位置にはない。
【００３２】
これにより洗浄槽３が収納された状態での内蓋１４の位置から前方向に最大の移動距離を得ることができ、前後方向の力を上下方向に変換する平行リンク機構１５によって、内蓋１４を上下方向に移動させる力を減少させ、付勢手段１１とのバランスで決められる引き出し操作力を低減させることができる。
【００３３】
以上のように本発明による食器洗い機は、内蓋の前後の移動距離を制限する部材を廃止しつつ洗浄槽３を拘束することで、洗浄槽３を食器洗い機本体１へ収納する操作力を低減し、使用勝手の良いものとなっている。
【産業上の利用可能性】
【００３４】
以上のように、本発明にかかる食器洗い機は、内蓋の前後の移動距離を制限する部材を廃止しつつ洗浄槽を拘束することで、洗浄槽を食器洗い機本体へ収納する操作力を低減させた、使い勝手の良いもので、家庭用の食器洗い機のみならず、業務用の食器洗い機にも有用である。
【図面の簡単な説明】
【００３５】
【図１】本発明の実施の形態１における食器洗い機の洗浄槽を収納した状態の縦断面図
【図２】同食器洗い機の洗浄槽を引き出した状態の縦断面図
【図３】同食器洗い機の洗浄槽を引き出した状態の要部拡大図
【図４】従来の食器洗い機の洗浄槽を収納した状態の縦断面図
【図５】同食器洗い機の洗浄槽を引き出した状態の縦断面図
【符号の説明】
【００３６】
１  食器洗い機本体
３  洗浄槽
３ａ  開口部
１０  ロック手段
１０ａ  アクチェータ
１４  内蓋
１４ｂ  前端
【図１】
2009028291.tif 000003
【図２】
2009028291.tif 000004
【図３】
2009028291.tif 000005
【図４】
2009028291.tif 000006
【図５】
2009028291.tif 000007